(57)【要約】【課題】  イオン風の進行をスムーズにして、イオン風を遠くまで到達させることによって、カーテンの遮蔽力を高める。【解決手段】  キャビネット２の上面に吸気口３が形成され、下面に放出口４が形成され、吸気口３と放出口４は直線通路５によって連通される。直線通路５中に、イオン風を発生するためのイオン発生ユニット１の電極ケース８が配される。電極ケース８に形成されたイオン通路１０は、直線通路５と同一直線上に位置し、イオン風の進行が妨げられることなく、スムーズに直進する。【選択図】  図３
2005283056.tif 000002
【特許請求の範囲】
【請求項１】
キャビネットに、針電極および誘引電極を有するイオン発生ユニットが内装され、前記キャビネットに、空気を取り入れるための吸気口とイオン風を放出するための放出口とが形成され、前記吸気口と放出口とは直線通路によって連通され、該直線通路中に、直線通路を通る空気が前記イオン発生ユニットを通り抜けるようにイオン発生ユニットが配されたことを特徴とするイオン風を利用したカーテン装置。
【請求項２】
放出口が吸気口よりも大きく形成されたことを特徴とする請求項１記載のイオン風を利用したカーテン装置。
【発明の詳細な説明】
【技術分野】
【０００１】
本発明は、イオン風によって、室内の分煙のために空間を遮蔽するカーテンを形成するカーテン装置に関する。
【背景技術】
【０００２】
喫煙場所と非喫煙場所とに分煙するためのカーテン装置として、ファンを利用した風圧式に代わって、特許文献１に記載されているように、イオン風によるカーテンを形成して、空間を遮蔽するものがある。
【０００３】
このイオン風を発生させるための電源ユニットは、針電極と、誘引電極と、電源装置を備えている。両電極の間に高圧の直流電圧を印加すると、電極周辺の空間に絶縁破壊が生じ、コロナ放電が発生する。針電極の先端から多量の電子が放出され、空間内の塵埃や気体分子に付着し、イオン化する。イオン化した塵埃や気体分子は、誘引電極に向かって流れ、誘引電極に捕集され、電荷が消滅する。しかし、イオンや電子の速度が速いと、誘引電極に付着せず、室内に放出される。室内に放出された電子は、室内の塵埃や気体分子に付着しながら、後から押し寄せる電子やイオンにより直進していく。このように、空気の移動を伴わずに物質のみが移動するイオン風が発生して、カーテンが形成される。
【特許文献１】特開２００２−９５９９８号公報
【発明の開示】
【発明が解決しようとする課題】
【０００４】
イオン風によるカーテンによって空間を遮蔽するには、イオン風の到達距離を長くして、カーテンの遮蔽力を高める必要がある。そのため、イオン風を多く発生させるとともに、抵抗なく真っ直ぐ移動させなければならない。
【０００５】
本発明は、上記に鑑み、イオン風を遠くまで到達させることによって、カーテンの遮蔽力を高めることができるカーテン装置の提供を目的とする。
【課題を解決するための手段】
【０００６】
本発明は、キャビネットに、針電極および誘引電極を有するイオン発生ユニットが内装され、前記キャビネットに、空気を取り入れるための吸気口とイオン風を放出するための放出口とが形成され、前記吸気口と放出口とは直線通路によって連通され、該直線通路中に、直線通路を通る空気が前記イオン発生ユニットを通り抜けるようにイオン発生ユニットが配されたものである。そして、放出口が吸気口よりも大きく形成される。
【０００７】
イオン発生ユニットを直線通路が貫通した構造となり、吸気口から放出口までの間には何ら障害物のない状態にできる。多量の空気がイオン発生ユニットに供給され、発生したイオン風がスムーズに直進して、室内に放出されることになる。
【発明の効果】
【０００８】
本発明によると、イオン風を発生させるために必要な空気をイオン発生ユニットに十分に供給でき、さらに発生されたイオン風をスムーズに放出口から室内に放出できる。したがって、多くのイオン風を遠くまで到達させることができ、カーテンの遮蔽効果を向上できる。
【発明を実施するための最良の形態】
【０００９】
本発明に係るイオン風を利用したカーテン装置を図１〜３に示す。カーテン装置は、イオン風を発生させるためのイオン発生ユニット１およびこれを収容するキャビネット２から構成される。
【００１０】
キャビネット２は、開閉可能な箱状とされ、上面に吸気口３が形成され、下面に放出口４が形成される。このキャビネット２は、室内の壁に掛けられる、あるいは天井に埋め込まれる。吸気口３と放出口４とは対向するように上下方向に配置され、両者の間に直線通路５が形成される。また、放出口４の長手方向の長さは吸気口３の長さと同じであるが、放出口４の幅は吸気口３の幅より大とされる。
【００１１】
イオン発生ユニット１は、図３、４に示すように、針電極６、誘引電極７、各電極６、７を装着した電極ケース８および電源装置９から構成される。電極ケース８は、電気絶縁性の合成樹脂によって上下面に開口を有する四角形の筒状に形成される。上下方向に直線状のイオン通路１０が形成される。電極ケース８が支持部材を介してキャビネット２に着脱可能に取り付けられる。なお、支持部材は、キャビネット２に対して回動自在に支持されており、キャビネット２に対する電極ケース８の角度を変えることができる。すなわち、電極ケース８は幅方向の中心線上の支点を中心に傾斜可能とされる。電極ケース８の取付角度を変えることにより、イオン風の進行方向を設定できる。電源装置９は、電気絶縁材を介して電極ケース８の側面にねじ止めされる。
【００１２】
針電極６は、ステンレス鋼製の長板の長手方向に複数の針を一定間隔に並べて形成される。針電極６は、先端が尖った略三角形状とされ、その厚さ方向において、先端側に段差を形成して、急激に細くしている。このように、針電極６の先端側を薄くすることにより、電子の発生箇所が先端および段差の角に限定される。磁界によって生じるローレンツ力により、先端から固まって放出される電子がさらに集束される。したがって、針電極６から放出される電子は、広がることなく真っ直ぐに飛び出し、イオン風の直進性を高めることができる。しかも、次々と多量の電子が放出され、先に進んだイオンや電子が押し出され、イオン風が到達する距離を長くできる。カーテンの有効範囲がイオン発生ユニット１から遠く離れた位置まで達することになり、有効範囲が広くなって、カーテンの遮蔽力を高めることができる。
【００１３】
そして、針電極６は、電極ケース８内の通路の中心線上に位置する。針電極はねじ２２により電極ケース８の側面に取り付けられ、針電極６は電極ケース８に着脱可能とされる。ねじ２２は電気絶縁性の合成樹脂製スペーサ２３に覆われ、電極ケース８から突出するねじ２２の先端には、電気絶縁性の合成樹脂製キャップ２４が被せられる。キャップ２４は、絶縁樹脂によってシールされて、電極ケース８に取り付けられる。
【００１４】
誘引電極７は、ステンレス鋼製の平板からなり、上下両端が外側に折り返されている。誘引電極７の表面には、導電性かつ非粘着性の被覆材によるコーティングが施されている。このコーティングは、導電性フッ素樹脂コーティングとされ、コバルト、ニッケルの微粒子にＰＴＦＥ（４フッ化エチレン樹脂）、ＰＦＡ（４フッ化エチレン−パーフロロアルコキシエチレン共重合樹脂）等のフッ素樹脂を含有させたコーティング材を用いて、誘引電極７を無電解メッキすることによって得られる。なお、フッ素樹脂の代わりに防汚性を有するシリコーン樹脂を用い、これに導電性の微粒子を混合したものでコーティングしてもよい。また、酸化チタン等の導電性を有する光触媒をコーティングしてもよい。
【００１５】
このようなコーティングすれば、導電性があるのでコロナ放電を妨げることなく、防汚性を高めることができる。したがって、誘引電極７の表面に塵埃等の汚れが付きにくくなり、クリーニング回数を減らすことができ、長期間にわたる連続運転が可能となる。
【００１６】
そして、２つの誘引電極７が、電極ケース８の下部に対向して平行に配置される。誘引電極７と電極ケース８との間には、絶縁板２５が介装されている。絶縁板２５は、電極ケース８の内面に貼り付けられており、絶縁板２５に誘引電極７の上下の折り返し部分が接触している。このように、誘引電極７を直接電極ケース８に接触させないことにより、針電極６と誘引電極７との完全な電気絶縁を図り、例え塵埃が電極ケース８に付着しても沿面放電が生じないようにしている。
【００１７】
誘引電極７の外面にはスタッドボルト２６が固定されている。スタッドボルト２６の先端が電極ケース８の長手方向の側面を貫通して、外側に突出している。このスタッドボルト２６にナット２７を嵌めることにより、誘引電極７は電極ケース８に着脱可能に取り付けられる。スタッドボルト２６の先端およびナット２７に電気絶縁性の合成樹脂製キャップ２４が被せられ、キャップ２４は、絶縁樹脂によってシールされて、電極ケース８に取り付けられる。
【００１８】
２つの誘引電極７の長手方向の両端に、両電極７に接触するようにコ字状の支持金具２８が設けられる。支持金具２８は、電極ケース８にねじ止めされ、対向する２つの誘引電極７を電気的に接続している。
【００１９】
そして、図３に示すように、電極ケース８は、直線通路５内に位置する。電極ケース８のイオン通路１０と直線通路５とが平行となるように、電極ケース８は位置決めされる。吸気口３からイオン通路１０を通って放出口４までが一直線に連通する。
【００２０】
針電極６と誘引電極７の間に高電圧を印加すると、コロナ放電が発生し、針電極６の先端側から電子がイオン通路１０内に放出される。電子がイオン通路１０内の塵埃や気体分子に付着し、イオン化する。イオン化した物質（塵埃や気体分子）は、誘引電極７に向かって流れ、加速されて電極ケース８から飛び出し、放出口４から室内に放出される。放出された電子やイオン化された物質は、室内の塵埃や気体分子に付着しながら、後から押し寄せる電子やイオンにより直進していく。
【００２１】
このとき、イオン通路１０は、直線通路５に対して同一直線上にあるので、吸気口３から吸い込まれた空気がイオン通路１０にスムーズに供給される。そのため、針電極６の周囲は、新鮮な空気によって常に満たされ、塵埃や気体分子のイオン化が促進され、多量のイオン化された物質を生成できる。イオン通路１０から放出口４までは一直線であるので、直進性を有する電子は、邪魔されずにスムーズに移動していく。したがって、イオン風を多く発生させることができ、イオン風は真っ直ぐ進行して、その到達距離が長くなる。
【００２２】
また、電極ケース８は角度を可変できるので、イオン風の進行方向の範囲が広がる。放出口４は吸気口３に比べて幅広く形成されているので、電極ケース８が傾けられても、イオン風をスムーズに放出することができる。
【００２３】
なお、本発明は、上記実施形態に限定されるものではなく、本発明の範囲内で上記実施形態に多くの修正および変更を加え得ることは勿論である。吸気口と放出口とが上下方向の直線上に配置されずに、水平方向にずれて配置されていてもよい。このとき、吸気口と放出口とを結ぶ直線通路はキャビネット内を斜めに通る。電極ケースを直線通路の傾きに応じて傾斜させて設け、イオン通路と直線通路とを同一直線上にする。
【図面の簡単な説明】
【００２４】
【図１】本発明の一実施形態のカーテン装置の斜視図
【図２】カーテン装置のキャビネットの底面図
【図３】キャビネット内部の通路を示す図
【図４】イオン発生ユニットの断面図
【符号の説明】
【００２５】
１    イオン発生ユニット
２    キャビネット
３    吸気口
４    放出口
５    直線通路
６    針電極
７    誘引電極
８    電極ケース
９    電源装置
１０    イオン通路
【図１】
2005283056.tif 000003
【図２】
2005283056.tif 000004
【図３】
2005283056.tif 000005
【図４】
2005283056.tif 000006